(57)【要約】【課題】水量が少なくても魚類等の水棲生物の遡上が行え、施工性のよい河床用の魚道を提供する。【解決手段】堰１１より下流側の河床６ａに一定間隔をおいて堰１１に向かい高さが階段状に高くなるように固定状態で設置される嵩上げ部３、４と、該嵩上げ部上に固定される貯水部２と、該貯水部２の流出口２ａにヒンジ９により上下に傾動可能に連結され、下流側の貯水部２に掛けられるか、或いは河床６ｂに着床するスロープ部５より構成され、スロープ部５の傾動を容易にし、かつその範囲を広げるため流出口２ａの下流側下端のヒンジ９の周りはＲ状に形成される。【選択図】図１
2016211337.tif 000002
【特許請求の範囲】
【請求項１】
落差のある河床の落差より下流側に設置される魚道であって、河床上に該河床に固定状態で取付けられる嵩上げ部を介して設置され、上流側から流入する水を貯める貯水部と、該貯水部より幅狭であって、該貯水部の上部に取付けられ、上流側の貯水部の水を下流側の貯水部に送るスロープ部とよりなることを特徴とする河床に設置される魚道。
【請求項２】
前記スロープ部の上流側端は貯水部にヒンジにより傾動可能に連結されることを特徴とする請求項１記載の河床に設置される魚道。
【請求項３】
前記貯水部は嵩上げ部と別体で、該嵩上げ部に取外し可能に連結されることを特徴とする請求項１又は２記載の河床に設置される魚道。
【発明の詳細な説明】
【技術分野】
【０００１】
本発明は、河床に魚類等の水棲生物の遡上のために設置される魚道に関する。
【背景技術】
【０００２】
河川においては、治水目的で設置される堰や落差工により、或いは洗堀により魚類等の水棲生物の遡上が妨げられることがある。一級河川などの大規模河川では、堰や落差工を施工する際、魚道が設けられることが多いが、中小規模の河川では魚道が設置されていないことが多い。
【０００３】
下記特許文献１及び２には、河川に設置される魚道が開示されている。特許文献１に開示される魚道は、プレキャストコンクリート製の上面を解放した箱型をなす魚道ブロックを河川に階段状に敷設して各魚道ブロック間に落差を設け、下流側の立壁上端より下流側に向けて突設される係止爪を隣接する魚道ブロックの上流側の立壁上端に係止して、その上に傾斜した越流面を形成し、魚類が下流側の魚道ブロックより越流面に沿って上流側の魚道ブロックに遡上できるようにしている。
【０００４】
特許文献２に開示される魚道は、鋼製で、河川の岩盤側壁に片持ち式に張出して設けた受梁に傾斜した魚道ユニットと、該魚道ユニットを連結するＵ字状の魚道ユニットよりなって、魚道が交互に折り返して蛇行しながら上昇するように形成している。
【先行技術文献】
【特許文献】
【０００５】
【特許文献１】特開平６−２８０２３９号
【特許文献２】特開２０１２−１８８８７７号
【発明の概要】
【発明が解決しようとする課題】
【０００６】
特許文献１に開示される魚道は、プレキャストコンクリート製であるが、一ブロック当たりの重量が大きく、施工時に重機が必要であるうえ、河川床に魚道ブロックを設置するために魚道ブロックの接地面を階段状に形成するのに河床を階段状に形成して、その上に栗石や砕石を敷き詰め、更にはその上に捨てコンクリートを打つ必要があり、施工に手間がかかる。また前記接地面に形成される階段の段の高さを変えれば、魚道ブロック間の落差は変えられるが、傾斜した越流面の勾配は変えられない。
【０００７】
特許文献２に開示される魚道は、構造が複雑で、施工に多くの工程を要する。そのうえ魚道が長く、魚類等の水棲生物の休息場所がないため、落差のある堰等の上まで登りきって遡上するのが困難である。
【０００８】
本発明は、水量が多くなくても、また落差のある堰等の上まで魚類等の水棲生物の遡上が容易に行え、しかも施工性を向上させた河床用の魚道を提供することを目的とする。
【課題を解決するための手段】
【０００９】
請求項１に係る発明は、落差のある河床の落差より下流側に設置される魚道であって、河床上に該河床に固定状態で取付けられる嵩上げ部を介して設置され、上流側から流入する水を貯める貯水部と、該貯水部より幅狭であって、該貯水部の上部に取付けられ、上流側の貯水部の水を下流側の貯水部に送るスロープ部とよりなることを特徴とし、
請求項２に係る発明は、請求項１に係る魚道において、スロープ部の上流側端は貯水部にヒンジにより傾動可能に連結されることを特徴とする。
【００１０】
請求項３に係る発明は、請求項１又は２に係る発明において、貯水部は嵩上げ部と別体で、該嵩上げ部に取外し可能に連結されることを特徴とする。
【発明の効果】
【００１１】
請求項１に係る発明の魚道によると、スロープ部は貯水部より幅狭で、水量が少なくて水深を深くでき、魚類等の水棲生物がスロープ部を遡上できるようになること、特許文献２に記載されるように、魚道が長く休息場所がないと、水棲生物が魚道を登りきるまで遡上するのが容易でないのに対し、貯水部間のスロープ部の長さは短かく、スロープ部間の貯水部で休息できるため水棲生物が遡上し易いこと、スロープ部の長さや勾配、嵩上げ材の高さ更には貯水部との組合せの数を変えることにより落差の大きさに対応できること、河床は嵩上げ材を設置できる程度に整地するか、敷モルタル等で河床の不陸を調整して設置すればよく、施工が容易であることなどの効果を有する。
【００１２】
請求項２に係る発明の魚道によると、スロープ部はヒンジにより傾動可能に連結されることのより角度調整を容易に行うことができる。
【００１３】
請求項３に係る発明の魚道によると、高さの異なる嵩上げ部の中から、施工現場で設置箇所に適した高さの嵩上げ部を選択して取付けることができる。
【図面の簡単な説明】
【００１４】
【図１】河床に設置される魚道の全体構造を示す図。
【図２】スロープ部の縦断面図。
【図３】スロープ部の別の態様の縦断面図。
【図４】スロープ部の他の態様の縦断面図。
【図５】図１のａ部の拡大断面図。
【発明を実施するための形態】
【００１５】
以下、本実施形態に係る魚道について図１により説明する。
全体を符号１で示す魚道は、上面を解放し、下流側に位置する側壁の上部に流出口２ａを、上流側に位置する側壁の上部に後述のスロープ部が嵌合する流入口を備えた箱形の貯水部２と、嵩上げ部３、４と、スロープ部５よりなり、いずれもＦＲＰ製で、貯水部２と嵩上げ部３、４は、貯水部下端のフランジ２ａと嵩上げ材上端のフランジ３ａ又は４ａとを図示しないボルトで締結することによって取外し可能に連結されている。
【００１６】
嵩上げ部３及び４は高さを異にするが、いずれも貯水部２と同じく箱形をなし、底壁が取付けられる梁又は底壁自体が河床６ａに埋設して固定されるアンカー７の河床６ａよりの突出部分に差込まれている。アンカー７に差込まれるだけで嵩上げ部３及び４は横方向の動きが規制されることにより固定状態となる（上下方向には嵩上げ部３、４や該嵩上げ部上に載置される貯水部２の自重により河床６ａに押付けられ、動きが拘束された状態にある）。図中、８は嵩上げ部３の周りに取付けられる補強材である。
【００１７】
なお、前記嵩上げ部３は河床にアンカー７その他により固定することができ、しかも上面に載置される貯水部２と連結し、該貯水部２を支持できるような構造であれば、どのような構造でもよく、その構造は特定のものに限定されるものではない。
【００１８】
スロープ部５は図２に示すように、底壁部５ａと側壁部５ｂよりなって凹形断面をなし、一端が前記貯水部２のブラケット状をなす流出口２ａにヒンジ９により上下方向に傾動可能に連結されている。スロープ部５は図２に示すような断面形状に限定されるものではなく、これ以外の任意の断面形状、例えば図３に示すようなＵ形断面、図４に示すように幅が下方に向かって逓減する断面漏斗状にすることができる。
【００１９】
スロープ部５の一端が連結されるブラケット状の流出口２ａは、スロープ部５の傾動が容易に行え、かつ傾動範囲を広げるため、図２に示すように側壁２ｂの下流側を底壁２ｃ端より下流側に突出させ、かつヒンジ８の周りの下端部をＲ状に形成し、スロープ部５が底壁２ｃ端に当たるまでの範囲内で回動できるようにしている。
【００２０】
図示するように落差Ｈの堰１１より下流側における河床６ａへの魚道１の施工は次のようにして行われる。
【００２１】
下流側の河床６ａを平坦に整地するか、或いは敷モルタル等で河床６ａの不陸を調整したのち、河床６ａの所定位置にアンカー７を固定する。次に高さの異なる種々の嵩上げ部の中から、相応する高さの嵩上げ部３、４を選択し、高さの高い嵩上げ部３についてはフランジ３ａ、４ａが堰１１の立壁に当たるように、低い嵩上げ部４については前記スロープ部５による連結が可能な箇所において河床６ｂ上に置き、それぞれ河床６ａより突出するアンカー７に差込む。この状態で嵩上げ部３、４は前述するように固定状態を維持されるが、より確実に固定するために、各アンカー７の突出部分にナットを捩じ込んで締着するようにしてもよい。
【００２２】
その後、各嵩上げ部３、４上に貯水部２を載せ、該貯水部２のフランジ２ａと嵩上げ部３、４のフランジ３ａ、４ａとをボルト（図示しない）によって連結し、固定する。貯水部２と嵩上げ部３、４は、予め工場において連結しておいてもよいし、貯水部２と嵩上げ材３又は４を一体成型しておいてもよい。工場において連結し、或いは一体形成される場合、現場での施工は前述した各箇所において、貯水部２と嵩上げ３又は４を連結した状態でアンカー７に嵩上げ部３又は４を差込んで行われる。
【００２３】
次に一端を貯水部２の流出口２ａにヒンジ８により連結したスロープ部５の他端を下流側の貯水部２の前記流入口に差込み連結する。下流側の貯水部２に連結されるスロープ部５は河床６ｂに着床させる。
前記スロープ部５は予め貯水部２に連結しておかれるが、現場で連結してもよい。
【００２４】
前記実施形態では、貯水部２は河床５ｂの２か所に設置されているが、３か所以上に設けてもよい。この場合、各貯水部２は、前記と同様、スロープ部５により連結される。
【００２５】
本実施形態の魚道１は以上のように構成され、河床５ｂは嵩上げ材３、４を設置できる程度に整地するか、敷モルタル等で河床の不陸を調整して設置すればよいこと、特許文献２に記載されるように、魚道が長く休息場所がないと、水棲生物が魚道を登りきって遡上するのが容易でないのに対し、貯水部間のスロープ部の長さは短かく、スロープ部間の貯水部で休息でき、しかもスロープ部５は貯水部２に比べ幅狭で、スロープ部５を流れる水量が少なくても水深を深くでき（スロープ部５の水深はスロープ部5の幅が狭くなるほど、また幅が図３及び図４に示すように下方に向かって逓減するほど深くなる）、したがって魚類等の水棲生物は遡上中、貯水部で休息できるほか、スロープ部での水量が少なくても魚類等の水棲生物の遡上が行えること、魚道１は全体がＦＲＰ製で軽量であり、持ち運びや施工が容易で、重機を必要としないこと、スロープ部５は角度が任意に変えられ、その長さや嵩上げ部の高さを変え、貯水部２と嵩上げ部の組合せの数を変えることにより、堰９の高さに対応できること、嵩上げ部は現場での設置箇所に応じた高さのものを選択し設置したのち、貯水部２を取付けることができること等の効果を有する。
【００２６】
前記実施形態では、魚道１を落差Ｈの堰１１を備えた河床６ａに設置した例を示したが、他の落差工や洗掘による落差を有し、魚道を必要とする河床にも同様にして設置することができる。
【符号の説明】
【００２７】
１・・魚道
２・・貯水部
２ａ・・流出口
３、４・・嵩上げ部
５・・スロープ
６ａ・・河床
７・・アンカー
９・・ヒンジ
１１・・堰
【図１】
2016211337.tif 000003
【図２】
2016211337.tif 000004
【図３】
2016211337.tif 000005
【図４】
2016211337.tif 000006
【図５】
2016211337.tif 000007